(57)【特許請求の範囲】
【請求項１】
外部から給水された洗浄用水を一時的に貯水するタンクと、前記タンクから前記洗浄用水を導水する少なくとも一つの流路と、前記少なくとも一つの流路で導水された前記洗浄用水を吐出するノズルヘッドと、前記流路に導水された前記洗浄用水を加圧すると共に脈動を与えて脈動水流として前記ノズルヘッドへ送水するポンプ手段と、前記ポンプ手段を駆動して前記洗浄用水の吐出制御を行う吐出制御手段と、を有する頭皮洗浄器において、
前記吐出制御手段は、前記ポンプ手段を制御して、水圧が２．９〜７．８×１０5Ｐａ、脈動パルスが１２００〜３０００回／分の洗浄用水を吐出し、
前記ノズルヘッドは、前記洗浄用水を吐出する方向に一様な長さの複数の突起部を有し、かつ、前記突起部の長さが、２５ｍｍ以上、２００ｍｍ以下であることを特徴とする頭皮洗浄器。
【請求項２】
外部から給水された洗浄用水を一時的に貯水するタンクと、前記タンクから前記洗浄用水を導水する少なくとも一つの流路と、前記少なくとも一つの流路で導水された前記洗浄用水を吐出するノズルヘッドと、前記流路に導水された前記洗浄用水を加圧すると共に脈動を与えて脈動水流として前記ノズルヘッドへ送水するポンプ手段と、前記ポンプ手段を駆動して前記洗浄用水の吐出制御を行う吐出制御手段と、を有する頭皮洗浄器において、
前記ノズルヘッドは、前記洗浄用水を吐出する方向に一様な長さの複数の突起部を有し、
前記吐出制御手段は、予め前記突起部の長さに応じて設定されている適正値に基づいて、前記洗浄用水の水圧および脈動パルスを制御することを特徴とする頭皮洗浄器。
【請求項３】
前記突起部の長さは、２５ｍｍ以上、２００ｍｍ以下であることを特徴とする請求項２に記載の頭皮洗浄器。
【請求項４】
前記ノズルヘッドは、交換可能であることを特徴とする請求項２または３に記載の頭皮洗浄器。
【請求項５】
さらに、前記突起部の長さを検出する検出手段を備え、
前記吐出制御手段は、前記検出手段で検出した前記突起部の長さに基づいて、前記洗浄用水の水圧および脈動パルスを変更することを特徴とする請求項４に記載の頭皮洗浄器。
【請求項６】
さらに、前記突起部の長さを入力する入力手段を備え、
前記吐出制御手段は、前記入力手段で入力された長さに基づいて前記洗浄用水の水圧および脈動パルスを変更することを特徴とする請求項４に記載の頭皮洗浄器。
【発明の詳細な説明】
【０００１】
【発明の属する技術分野】
この発明は、頭皮洗浄器に関し、より詳細には、突起部のあるノズルヘッドを用いて頭髪を掻き分けながら頭皮を洗浄する頭皮洗浄器に関する。また、応用分野として、頭部の他に顔部、身体等の洗浄器が挙げられる。
【０００２】
【従来の技術】
従来から、洗浄効率の向上やマッサージ効果等の利便性や快適性を求めた頭皮洗浄器がある。特開平１１−１９６９２５号公報「頭部・顔部洗浄装置」によれば、洗浄効果や使用感が優れた範囲でピーク水圧および間欠パルス数を調整できるため、常に優れた洗浄効果および使用感（マッサージ感）を得ることができるという方法が開示されている。
【０００３】
【発明が解決しようとする課題】
しかしながら、洗浄用水が断続的に加圧され、脈動して吐出される場合、ノズルヘッドが頭皮から遠いと水圧が弱くなり、近すぎると脈動を感じにくくなり、適切なマッサージ感を得るには、ノズルヘッドと頭皮との間隔を適当に維持して使用する必要があるため、この間隔の維持が容易でないという問題点があった。
【０００４】
この発明は上記に鑑みてなされたものであって、ノズルヘッドと頭皮との間隔を洗浄力やマッサージ感が得られる適当な間隔に維持することが容易で、かつ、突起部で頭髪を掻き分けながら適度に頭皮をマッサージできることを目的とする。
【０００５】
【課題を解決するための手段】
上記目的を達成するため、請求項１に記載の発明に係る頭皮洗浄器は、外部から給水された洗浄用水を一時的に貯水するタンクと、タンクから洗浄用水を導水する少なくとも一つの流路と、少なくとも一つの流路で導水された洗浄用水を吐出するノズルヘッドと、流路に導水された洗浄用水を加圧すると共に脈動を与えて脈動水流としてノズルヘッドへ送水するポンプ手段と、ポンプ手段を駆動して洗浄用水の吐出制御を行う吐出制御手段と、を有する頭皮洗浄器において、吐出制御手段は、ポンプ手段を制御して、水圧が２．９〜７．８×１０5Ｐａ、脈動パルスが１２００〜３０００回／分の洗浄用水を吐出し、ノズルヘッドは、洗浄用水を吐出する方向に一様な長さの複数の突起部を有し、かつ、突起部の長さが、２５ｍｍ以上、２００ｍｍ以下であることを特徴とする。
【０００６】
この発明によれば、吐出制御手段が、ポンプ手段を制御して、水圧が２．９〜７．８×１０5Ｐａ、脈動パルスが１２００〜３０００回／分の洗浄用水を吐出し、ノズルヘッドが、洗浄用水を吐出する方向に一様な長さの複数の突起部を有し、かつ、突起部の長さが、２５ｍｍ以上、２００ｍｍ以下であることにより、頭皮を洗浄するのに最適な水圧および脈動パルスで頭皮を洗浄でき、かつ、突起部によってノズルヘッドと頭皮との間隔を洗浄力やマッサージ感が得られる適当な間隔に維持することが容易である。
【０００７】
また、請求項２に記載の発明に係る頭皮洗浄器は、外部から給水された洗浄用水を一時的に貯水するタンクと、タンクから洗浄用水を導水する少なくとも一つの流路と、少なくとも一つの流路で導水された洗浄用水を吐出するノズルヘッドと、流路に導水された洗浄用水を加圧すると共に脈動を与えて脈動水流としてノズルヘッドへ送水するポンプ手段と、ポンプ手段を駆動して洗浄用水の吐出制御を行う吐出制御手段と、を有する頭皮洗浄器において、ノズルヘッドは、洗浄用水を吐出する方向に一様な長さの複数の突起部を有し、吐出制御手段は、予め突起部の長さに応じて設定されている適正値に基づいて、洗浄用水の水圧および脈動パルスを制御することを特徴とする。
【０００８】
この発明によれば、ノズルヘッドが、洗浄用水を吐出する方向に一様な長さの複数の突起部を有し、吐出制御手段が、予め突起部の長さに応じて設定されている適正値に基づいて、洗浄用水の水圧および脈動パルスを制御することにより、頭皮を洗浄するのに最適な水圧および脈動パルスで頭皮を洗浄できる。
【０００９】
また、請求項３に記載の発明に係る頭皮洗浄器は、請求項２に記載の頭皮洗浄器において、突起部の長さは、２５ｍｍ以上、２００ｍｍ以下であることを特徴とする。
【００１０】
この発明によれば、突起部の長さが、２５ｍｍ以上、２００ｍｍ以下であることにより、ノズルヘッドと頭皮との間隔を最も洗浄力やマッサージ感が得られる間隔にすることができる。
【００１１】
また、請求項４に記載の発明に係る頭皮洗浄器は、請求項２または３に記載の頭皮洗浄器において、ノズルヘッドは、交換可能であることを特徴とする。
【００１２】
この発明によれば、ノズルヘッドが、交換可能であることにより、ユーザの嗜好または洗浄の目的に合わせて、突起部の長短および数を調整したノズルヘッドを選択できる。
【００１３】
また、請求項５に記載の発明に係る頭皮洗浄器は、請求項４に記載の頭皮洗浄器において、さらに、突起部の長さを検出する検出手段を備え、吐出制御手段は、検出手段で検出した突起部の長さに基づいて、洗浄用水の水圧および脈動パルスを変更することを特徴とする。
【００１４】
この発明によれば、吐出制御手段が、検出手段で検出した突起部の長さに基づいて、洗浄用水の水圧および脈動パルスを変更することにより、頭皮を洗浄するのに最適な水圧および脈動パルスで頭皮を洗浄できる。
【００１５】
また、請求項６に記載の発明に係る頭皮洗浄器は、請求項４に記載の頭皮洗浄器において、さらに、突起部の長さを入力する入力手段を備え、吐出制御手段は、入力手段で入力された長さに基づいて洗浄用水の水圧および脈動パルスを変更することを特徴とする。
【００１６】
この発明によれば、吐出制御手段が、入力手段で入力された長さに基づいて洗浄用水の水圧および脈動パルスを変更することにより、頭皮を洗浄するのに最適な水圧および脈動パルスで頭皮を洗浄できる。
【００１７】
【発明の実施の形態】
以下に添付図面を参照して、本発明に係る頭皮洗浄装置の好適な実施の形態を詳細に説明する。なお、以下に述べるのは、一例であり、特に限定するものではない。
【００１８】
（実施の形態１）
図１は、実施の形態１における頭皮洗浄器の概略構成図である。実施の形態１における頭皮洗浄器は、外部から給水された洗浄用水を一時的に貯水するタンク１と、タンク１から洗浄用水を導水する連結部２と、連結部２から導水された洗浄用水を加圧して送出するポンプ３と、送出された洗浄用水を導水するホース４と、ホース４に導水された洗浄用水を吐出するノズルヘッド５と、ポンプ３を駆動するバッテリ６と、ポンプ３の駆動を制御する吐出制御部７と、から構成される。ここで、吐出制御部７が、本発明の吐出制御手段に相当し、ノズルヘッド５が、本発明のノズルヘッドに相当する。
【００１９】
以上の構成において、その動作を説明する。本発明の頭皮洗浄器を用いて頭皮を洗浄するとき、ユーザは、図示しない電源スイッチを操作して電源投入する。電源が投入されると、バッテリ６からポンプ３へ電源が供給され、吐出制御部７が、ポンプ３の駆動を制御し、吐出制御を行う。ポンプ３は、連結部２を介してタンク１から給水された洗浄用水を加圧し、ホース４を介してノズルヘッド５へ洗浄用水を送出する。ノズルヘッド５は、洗浄用水を脈動のある脈動水流として吐出し、ユーザは、該脈動水流によって頭皮を洗浄する。ここで、吐出する水圧は、２．９〜７．８×１０5Ｐａ、脈動パルスは、１２００〜３０００回／分である。この数値は、予め、吐出制御部７内部に適正値として設定されている。
【００２０】
図２は、実施の形態１における頭皮洗浄器のノズルヘッド５の概略構成図である。本実施の形態における頭皮洗浄器のノズルヘッド５は、頭皮洗浄時にユーザが把持する把持部８と、洗浄用水を吐出するノズル９と、髪を掻き分け、洗浄面（頭皮１０）を洗浄する一様な（同じ）長さの複数の突起部１１と、を備えている。ここで、Ａ＝２５ｍｍであり、Ｂ＝２００ｍｍである。また、突起部１１が、本発明の突起部に相当する。この突起部１１は、ノズル９から吐出される洗浄用水のマッサージ感を損なわない範囲でブラシ等を用いても良い。
【００２１】
図３は、ノズルからの距離と洗浄力およびマッサージ感の関係を表した図である。なお、図３において「○」は、「効果有り（良好）」を表し、「×」は、「効果が弱い」を表す。吐出する水圧が、２．９〜７．８×１０5Ｐａ、脈動パルスが、１２００〜３０００回／分である場合、図３に示した効果を鑑みた結果、ノズルヘッド５に備えられた突起部１１の長さが、２５ｍｍ以上、２００ｍｍ以下とすることが最も洗浄力およびマッサージ感の効果が大きくなる。
【００２２】
以上の構成において、その動作を説明する。吐出制御部７の吐出制御によって、ポンプ３から送出された洗浄用水が、ホース４によって導水され、ノズル９から吐出される。ユーザは、把持部８を把持し、頭皮１０に突起部１１を当て、頭髪を掻き分けながら適度に頭皮１０をマッサージして、ノズル９から吐出される脈動のある脈動水流によって、頭皮１０を洗浄する。
【００２３】
このとき、複数の突起部１１の長さが、一様で、２５ｍｍ以上、２００ｍｍ以下であるので、突起部１１を当てて、頭皮１０を洗浄したとき、頭皮１０とノズル９との間隔は、２５ｍｍ以上、２００ｍｍ以下に維持される。このため、ノズル９と頭皮１０との間隔を洗浄力やマッサージ感が得られる適当な間隔に維持することが容易となる。
【００２４】
前述したように、実施の形態１によれば、吐出制御部７が、ポンプ３を制御して、水圧が２．９〜７．８×１０5Ｐａ、脈動パルスが１２００〜３０００回／分の洗浄用水を吐出し、ノズルヘッド５が、洗浄用水を吐出する方向に一様な長さの複数の突起部１１を有し、かつ、突起部１１の長さが、２５ｍｍ以上、２００ｍｍ以下であるため、頭皮１０を洗浄するのに最適な水圧および脈動パルスで頭皮を洗浄できる。また、突起部１１によってノズルヘッド５と頭皮１０との間隔を洗浄力やマッサージ感が得られる適当な間隔に維持することが容易で、かつ、突起部１１で頭髪を掻き分けながら適度に頭皮１０をマッサージできる。
【００２５】
また、突起部１１の長さが、２５ｍｍ以上、２００ｍｍ以下であるため、ノズルヘッド５と頭皮１０との間隔を最も洗浄力やマッサージ感が得られる間隔にすることができる。
【００２６】
（実施の形態２）
実施の形態２における頭皮洗浄器は、実施の形態１における頭皮洗浄器とほぼ同じ構成であるので、ここでは、異なる部分を述べる。
【００２７】
図４は、突起部を短くしたノズルヘッド１３を表した図であり、図５は、突起部を長くしたノズルヘッド１６を表した図である。実施の形態２におけるノズルヘッド１３および１６は、ホース４の先端にあるノズルヘッド取付部１２へ交換して取り付けることが可能である。
【００２８】
ノズルヘッド１３は、洗浄用水を吐出するノズル１４と、洗浄用水を吐出する方向に長さ３０ｍｍの多数（例えば、３０本程度）の突起部１５と、を備えている。短い頭髪の頭皮を洗浄する場合には、多数の短い突起部１５で頭髪を掻き分けることにより、より効果的に短い頭髪の頭皮を洗浄することができる。
【００２９】
また、ノズルヘッド１６は、洗浄用水を吐出するノズル１７と、洗浄用水を吐出する方向に長さ１５０ｍｍの少数（例えば、１０本程度）の突起部１８と、を備えている。長い頭髪の頭皮を洗浄する場合には、少数の長い突起部１５で頭髪を掻き分けることにより、より効果的に長い頭髪の頭皮を洗浄することができる。
【００３０】
前述したように、実施の形態２によれば、ノズルヘッド１３および１６が、交換可能であるため、ユーザの嗜好または洗浄の目的に合わせて、突起部の長短および数を調整したノズルヘッド１３および１６を選択できる。
【００３１】
（実施の形態３）
実施の形態３における頭皮洗浄器は、実施の形態１における頭皮洗浄器とほぼ同じ構成であるので、ここでは、異なる部分を述べる。
【００３２】
図６は、ノズルヘッド２０およびその種類を判別するセンサ２３および２４を備えたノズルヘッド取付部１９を表した図である。ノズルヘッド２０は、ノズルヘッドの種類を示す検出ピン２１と、ノズルヘッド２０をノズルヘッド取付部１９へ取り付ける挿入部２２と、を備えている。
【００３３】
図７は、ノズルヘッド取付部１９の正面図である。ノズルヘッド取付部１９は、ノズルヘッドの種類を検出するセンサ２３および２４と、挿入部２２を挿入して連結する挿入口２５と、を備えている。ここで、センサ２３および２４は、本発明の検出手段に相当する。また、検出ピン２１は、導体である。
【００３４】
以上の構成において、その動作を説明する。ノズルヘッド２０が、ノズルヘッド取付部１９へ取り付けられると、ノズルヘッド２０の種類（突起部の長さ）によって、検出ピン２１が、センサ２３または２４へ挿入される。検出ピン２１が挿入されたセンサ２３または２４では、導体である検出ピン２１によって、電気的に導通してスイッチがＯＮの状態となる。
【００３５】
次いで、吐出制御部７が、センサ２３または２４の電気的な導通を検知することにより、ノズルヘッド２０の種類を識別する。吐出制御部７は、ノズルヘッド２０の種類から突起部の長さを検出し、検出した突起部の長さに基づいて、洗浄用水によるマッサージ感が最適となる距離を決定する。さらに、吐出制御部７は、決定した距離に基づき、吐出制御を行う。
【００３６】
例えば、図４に示したような洗浄用水を吐出する方向に長さ３０ｍｍの多数（例えば、３０本程度）の突起部を備えたノズルヘッドの場合、吐出する水圧を２．９〜５．０×１０5Ｐａ、脈動パルスを１２００〜２５００回／分とする。また、図５に示したような洗浄用水を吐出する方向に長さ１５０ｍｍの少数（例えば、１０本程度）の突起部を備えたノズルヘッドの場合、吐出する水圧を５．０〜７．８×１０5Ｐａ、脈動パルスを２０００〜３０００回／分とする。
【００３７】
前述したように、実施の形態３によれば、吐出制御部７が、センサ２３または２４で検出した突起部の長さに基づいて、洗浄用水の水圧および脈動パルスを変更するため、ノズルヘッド２０を交換した場合でも、自動的に最適な吐出制御を行って、最適な水圧および脈動パルスで頭皮を洗浄できる。また、ノズルと頭皮との間隔を洗浄力やマッサージ感が得られる適当な間隔に維持することが容易で、かつ、突起部で頭髪を掻き分けながら適度に頭皮をマッサージできる。
【００３８】
（実施の形態４）
実施の形態４における頭皮洗浄器は、実施の形態１における頭皮洗浄器とほぼ同じ構成であるので、ここでは、異なる部分を述べる。
【００３９】
図８は、洗浄用水によるマッサージ感が最適となる距離を予め設定されたＴＹＰＥ１の長さに切り替えた切替スイッチ２６を表した図である。実施の形態４における頭皮洗浄器は、本体の筐体上に切替スイッチ２６を備えている。ここで、切替スイッチ２６は、本発明の入力手段に相当する。また、図４のような短い突起部を備えたノズルヘッドを「ＴＹＰＥ１」とし、図５のような長い突起部を備えたノズルヘッドを「ＴＹＰＥ２」とする。
【００４０】
以上の構成において、その動作を説明する。ユーザは、ノズルヘッドをＴＹＰＥ１のノズルヘッドへ交換したとき、切替スイッチ２６を回し、「ＴＹＰＥ１」へ切り替える。これにより、切替スイッチ２６は、洗浄用水によるマッサージ感が最適となる距離を図４のような短い突起部を備えたノズルヘッドに適した長さへ切り替える。
【００４１】
吐出制御部７は、切替スイッチ２６が切り替えた短い距離に基づいて、吐出制御する。例えば、図４に示したような洗浄用水を吐出する方向に長さ３０ｍｍの多数（例えば、３０本程度）の突起部を備えたノズルヘッドの場合、吐出する水圧を２．９〜５．０×１０5Ｐａ、脈動パルスを１２００〜２５００回／分とする。このため、ノズルヘッドと頭皮との間隔を洗浄力やマッサージ感が得られる短い間隔に維持することが容易である。
【００４２】
図９は、洗浄用水によるマッサージ感が最適となる距離を予め設定されたＴＹＰＥ２の長さに切り替えた切替スイッチ２６を表した図である。ユーザは、ノズルヘッドをＴＹＰＥ２のノズルヘッドへ交換したとき、同時に切替スイッチ２６を回し、「ＴＹＰＥ２」へ切り替える。これにより、切替スイッチ２６は、洗浄用水によるマッサージ感が最適となる距離を図５のような長い突起部を備えたノズルヘッドに適した長さへ切り替える。
【００４３】
吐出制御部７は、切替スイッチ２６が切り替えた長い距離に基づいて、吐出制御する。例えば、図５に示したような洗浄用水を吐出する方向に長さ１５０ｍｍの少数（例えば、１０本程度）の突起部を備えたノズルヘッドの場合、吐出する水圧を５．０〜７．８×１０5Ｐａ、脈動パルスを２０００〜３０００回／分とする。このため、ノズルヘッドと頭皮との間隔を洗浄力やマッサージ感が得られる長い間隔に維持することが容易である。
【００４４】
前述したように、実施の形態４によれば、切替スイッチ２６で入力された長さに基づいて洗浄用水の水圧および脈動パルスを変更するため、ノズルヘッドを交換した場合でも、最適な吐出制御を行って、最適な水圧および脈動パルスで頭皮を洗浄できる。また、ノズルと頭皮との間隔を洗浄力やマッサージ感が得られる適当な間隔に維持することが容易で、かつ、突起部で頭髪を掻き分けながら適度に頭皮をマッサージできる。
【００４５】
【発明の効果】
以上説明したように、請求項１に記載の発明によれば、吐出制御手段が、ポンプ手段を制御して、水圧が２．９〜７．８×１０5Ｐａ、脈動パルスが１２００〜３０００回／分の洗浄用水を吐出し、ノズルヘッドが、洗浄用水を吐出する方向に一様な長さの複数の突起部を有し、かつ、突起部の長さが、２５ｍｍ以上、２００ｍｍ以下であるため、頭皮を洗浄するのに最適な水圧および脈動パルスで頭皮を洗浄できる。突起部によってノズルヘッドと頭皮との間隔を洗浄力やマッサージ感が得られる適当な間隔に維持することが容易で、かつ、突起部で頭髪を掻き分けながら適度に頭皮をマッサージできる。
【００４６】
また、請求項２に記載の発明によれば、ノズルヘッドが、洗浄用水を吐出する方向に一様な長さの複数の突起部を有し、吐出制御手段が、予め突起部の長さに応じて設定されている適正値に基づいて、洗浄用水の水圧および脈動パルスを制御するため、突起部によってノズルヘッドと頭皮との間隔を洗浄力やマッサージ感が得られる適当な間隔に維持することが容易で、かつ、突起部で頭髪を掻き分けながら適度に頭皮をマッサージできる。さらに、頭皮を洗浄するのに最適な水圧および脈動パルスで頭皮を洗浄できる。
【００４７】
また、請求項３に記載の発明によれば、突起部の長さが、２５ｍｍ以上、２００ｍｍ以下であるため、ノズルヘッドと頭皮との間隔を最も洗浄力やマッサージ感が得るのが容易な間隔にすることができる。
【００４８】
また、請求項４に記載の発明によれば、ノズルヘッドが、交換可能であるため、ユーザの嗜好または洗浄の目的に合わせて、突起部の長短および数を調整したノズルヘッドを選択できる。
【００４９】
また、請求項５に記載の発明によれば、吐出制御手段が、検出手段で検出した突起部の長さに基づいて、洗浄用水の水圧および脈動パルスを変更するため、ノズルヘッドを交換した場合でも、自動的に最適な吐出制御を行って、請求項４に記載の発明よりも、さらに最適な水圧および脈動パルスで頭皮を洗浄できる。また、ノズルと頭皮との間隔を洗浄力やマッサージ感が得られる適当な間隔に維持することが容易で、かつ、突起部で頭髪を掻き分けながら適度に頭皮をマッサージできる。
【００５０】
また、請求項６に記載の発明によれば、吐出制御手段が、入力手段で入力された長さに基づいて洗浄用水の水圧および脈動パルスを変更するため、ノズルヘッドを交換した場合でも、最適な吐出制御を行って、請求項４に記載の発明よりも、さらに最適な水圧および脈動パルスで頭皮を洗浄できる。また、ノズルと頭皮との間隔を洗浄力やマッサージ感が得られる適当な間隔に維持することが容易で、かつ、突起部で頭髪を掻き分けながら適度に頭皮をマッサージできる。
【図面の簡単な説明】
【図１】実施の形態１における頭皮洗浄器の概略構成図である。
【図２】実施の形態１における頭皮洗浄器のノズルヘッドの概略構成図である。
【図３】ノズルからの距離における洗浄力およびマッサージ感の関係を表した図である。
【図４】突起部を短くしたノズルヘッドを表した図である。
【図５】突起部を長くしたノズルヘッドを表した図である。
【図６】ノズルヘッドおよびその種類を判別するセンサを備えたノズルヘッド取付部を表した図である。
【図７】ノズルヘッド取付部の正面図である。
【図８】洗浄用水によるマッサージ感が最適となる距離を予め設定されたＴＹＰＥ１の長さに切り替えた切替スイッチを表した図である。
【図９】洗浄用水によるマッサージ感が最適となる距離を予め設定されたＴＹＰＥ２の長さに切り替えた切替スイッチを表した図である。
【符号の説明】
１                          タンク
３                          ポンプ
４                          ホース
５、１３、１６、２０        ノズルヘッド
７                          吐出制御部
９、１４、１７              ノズル
１１、１５、１８            突起部
１２、１９                  ノズルヘッド取付部
２１                        検出ピン
２３、２４                  センサ
２６                        切替スイッチ
【図１】
0003926632.tif 000002
【図２】
0003926632.tif 000003
【図３】
0003926632.tif 000004
【図４】
0003926632.tif 000005
【図５】
0003926632.tif 000006
【図６】
0003926632.tif 000007
【図７】
0003926632.tif 000008
【図８】
0003926632.tif 000009
【図９】
0003926632.tif 000010